(57)【特許請求の範囲】
【請求項１】
回転駆動される円筒状の回転体の外周面に配した複数の脱毛爪を回転体の回転に伴って開閉させて脱毛を行う脱毛装置において、回転体はその外周面に複数の凹所を備えており、脱毛爪は上記凹所内で揺動自在となっている可動爪で形成されており、回転体の軸方向及び周方向においてずれたところに位置している上記各凹所に上記可動爪が夫々夫々回転体の外周面側から組み込まれていることを特徴とする脱毛装置。
【請求項２】
脱毛爪は、揺動自在に支持された可動爪で形成され、脱毛爪の開閉動作は、上記可動爪がその揺動で回転体の凹所の回転体軸方向における側壁に設けた固定爪に接触離反することで得ているものであることを特徴とする請求項１記載の脱毛装置。
【請求項３】
脱毛爪は、揺動自在に支持された可動爪で形成されているとともに、該可動爪は毛の挟持部と開閉用駆動力を受ける被駆動部との間を支点として揺動するものであることを特徴とする請求項１または２記載の脱毛装置。
【請求項４】
上記各凹所には、夫々２つの可動爪と両可動爪間に配される爪取付台とが組み込まれていることを特徴とする請求項２または３記載の脱毛装置。
【請求項５】
２つの可動爪と揺動支持部材とはこれらを貫通する軸で回転体に取り付けられていることを特徴とする請求項４記載の脱毛装置。
【請求項６】
可動爪はその周方向端部が屈曲していることを特徴とする請求項２〜５のいずれかの項に記載の脱毛装置。
【請求項７】
回転体の軸方向に並ぶ２つの可動爪は薄肉の弾性部を介して一体化されていることを特徴とする請求項４または５に記載の脱毛装置。
【請求項８】
薄肉の弾性部は対の可動爪を開く方向に付勢していることを特徴とする請求項７記載の脱毛装置。
【請求項９】
回転体の周方向において隣り合う脱毛爪は上記周方向において重なる長さとなっていることを特徴とする請求項１〜８のいずれかの項に記載の脱毛装置。
【請求項１０】
回転体はその軸方向に２分割されて形成されていることを特徴とする請求項１〜９のいずれかの項に記載の脱毛装置。
【請求項１１】
脱毛爪は揺動自在に支持された可動爪で形成され、上記各凹所には、夫々２つの可動爪と両可動爪間に配される爪取付台とが組み込まれ、２つの可動爪と爪取付台とはこれらを貫通する軸で回転体に取り付けられているとともに、回転体における上記軸の挿入口が軸方向に２分割された回転体の結合対向面に設けられていることを特徴とする請求項１０記載の脱毛装置。
【請求項１２】
２分割された回転体は相互の結合対向面に配したフックで結合されていることを特徴とする請求項１０記載の脱毛装置。
【請求項１３】
２分割された回転体は軸によって結合されていることを特徴とする請求項１１記載の脱毛装置。
【請求項１４】
２分割された回転体は同一形状となっていることを特徴とする請求項１０〜１３のいずれか１項に記載の脱毛装置。
【請求項１５】
２分割された回転体は結合対向面に周方向の段差を備えていることを特徴とする請求項１０〜１４のいずれか１項に記載の脱毛装置。
【発明の詳細な説明】
【０００１】
【発明の属する技術分野】
本発明は美容などを目的として体毛を除去する際に用いる脱毛装置に関するものである。
【０００２】
【従来の技術】
この種の脱毛装置として、ＷＯ９８／０５２３４号などに回転体の外周面に配した脱毛爪を回転体の回転に伴って開閉させるようにしたものが示されている。
【０００３】
ここでの回転体は、ディスク部材を軸方向に連結したものとして形成されており、脱毛爪はディスク間に組み込んだものとなっている。
【０００４】
【発明が解決しようとする課題】
この場合、各部品の寸法交差のために、回転体の軸方向寸法のばらつきが大きくなるものであり、これに伴ってディスク間に配している脱毛爪も上記軸方向動作によるところの開閉に関して、閉じた時の毛の把持力のばらつき及び開いた時の毛の導入隙間の広さのばらつきが大きくなってしまっており、毛の導入及び毛の引き抜きの効率を高くすることができない。また、組立性もあまり良好なものではない。
【０００５】
本発明はこのような点に鑑みなされたものであって、その目的とするところは毛の把持力の一定化を容易に得ることができて毛の引き抜き効率を高くすることができる上に組立性も良好である脱毛装置を提供するにある。
【０００６】
【課題を解決するための手段】
しかして本発明は、回転駆動される円筒状の回転体の外周面に配した複数の脱毛爪を回転体の回転に伴って開閉させて脱毛を行う脱毛装置において、回転体はその外周面に複数の凹所を備えており、脱毛爪は上記凹所内で揺動自在となっている可動爪で形成されており、回転体の軸方向及び周方向においてずれたところに位置している上記各凹所に上記可動爪が夫々夫々回転体の外周面側から組み込まれていることに特徴を有している。部品の寸法公差の累積の影響を脱毛爪が受けることがないものである。
【０００７】
ここにおける脱毛爪は、揺動自在に支持された可動爪で形成され、脱毛爪の開閉動作は、上記可動爪がその揺動で回転体の凹所の回転体軸方向における側壁に設けた固定爪に接触離反することで得ているものを好適に用いることができ、また、揺動自在に支持された可動爪として、毛の挟持部と開閉用駆動力を受ける被駆動部との間を支点として揺動するものを好適に用いることができる。
【０００８】
上記各凹所には、夫々２つの可動爪と両可動爪間に配される爪取付台とを組み込んだり、２つの可動爪と揺動支持部材とはこれらを貫通する軸で回転体に取り付けたり、可動爪としてその周方向端部が屈曲しているものを用いたりしてもよい。
【０００９】
回転体の軸方向に並ぶ２つの可動爪が薄肉の弾性部を介して一体化されていると、さらに組立性を向上させることができる。上記薄肉の弾性部が対の可動爪を開く方向に付勢していると、より好ましいものとなる。
【００１０】
また、回転体の周方向において隣り合う脱毛爪は上記周方向において重なる長さとなっているとよい。
【００１１】
そして、回転体にはその軸方向に２分割されて形成されたものを好適に用いることができる。
【００１２】
脱毛爪が揺動自在に支持された可動爪で形成され、上記各凹所には、夫々２つの可動爪と両可動爪間に配される爪取付台とが組み込まれ、２つの可動爪と爪取付台とはこれらを貫通する軸で回転体に取り付けられているものでは、回転体における上記軸の挿入口を軸方向に２分割された回転体の結合対向面に設けておくとよい。
【００１３】
２分割された回転体は相互の結合対向面に配したフックで結合したり、上記軸によって結合したりするのが好ましい。
【００１４】
２分割された回転体が同一形状となっていたり、結合対向面に周方向の段差を備えているとなお好ましいものとなる。
【００１５】
【発明の実施の形態】
以下本発明を実施の形態の一例に基づいて詳述すると、この脱毛装置は、図２〜図６に示すように、２つ割りで形成されたハウジング１と、同じく２つ割りで形成されてハウジング１内に納められているフレーム２と、フレーム２によって軸回りの回転が自在となるように支持されているとともにフレーム２に装着したモータ３によって軸回りに回転駆動される円筒状の回転体４と、該回転体４の一部を露出させる窓５０が設けられているヘッドカバー５とからなるものとして形成されて上記回転体４の外周面に複数の脱毛爪７が配設されており、下端面に電源接続用のジャック部１１を備えているハウジング１の外側面にはスイッチ１０が配されている。
【００１６】
モータ固定板２０を介在させた状態で相互に連結固定される上記フレーム２には、モータ３の出力軸に取り付けたピニオン３０と噛み合うギア３１と、該ギア３１に噛み合うとともに回転体４のギア部４０と噛み合うギア３２とが夫々軸２１，２２によって取り付けられている。モータ３の回転で回転体４が軸回りに回転するものである。なお、上記ギア列にはすば歯車や高歯歯車を使用して噛み合い率を２以上とするとギアの駆動音を小さくすることができる。図中２３は２つ割のフレーム２を連結しているねじ、２４はハウジング１内面に形成されたボス１４が係合する係合穴である。
【００１７】
フレーム２で両端が保持される軸４９によって支持されている回転体４には、脱毛爪７，７の対が回転体４の周方向において等間隔に且つ回転体４の軸方向において少しずつずらされた状態で１０個配設されている。また、本例における脱毛爪７は、いずれも回転体４の外周面に一体に設けられた固定爪４５に対して接触離反する可動爪７０で構成したものとなっている。
【００１８】
対をなしている脱毛爪７，７の可動爪７０，７０は、爪取付台７３と支点板７５とばね７８、そして両可動爪７０の孔７１を通るとともに爪取付台７３の孔７４に挿通される軸７７によってブロック化されたもので、回転体４の外周面に設けた凹所４４内に上記ブロックを配置することで回転体４に取り付けられている。なお、軸７７は回転体４の端面から差し込んでシール固定されるものとなっている。
【００１９】
このように取り付けられた対の可動爪７０，７０は、図８に示すように、回転体４の上記凹所４４の軸方向側壁である固定爪４５における凹所４４側の面に設けた支点突起４５ｔと上記支点板７５とで挟まれた部分を支点として揺動自在に保持されるものであり、また間に位置する圧縮コイル型のばね７８によって、可動爪７０が固定爪４５から離れる方向に付勢される。なお、上記支点板７５は爪取付台７３と一体であってもよい。
【００２０】
そして、回転体４には軸方向に貫通する複数の孔４２が同心円上に等間隔で設けられていて、脱毛爪７の開閉部材としてのスライドレバー８１，８２がこの孔４２にスライド自在に取り付けられている。ここで、スライドレバー８１は回転体４の一端側に配されて対をなしている２つの可動爪７０，７０のうちの一方に一端を当接させ、スライドレバー８２は回転体４の他端側に配されて他方の可動爪７０に一端を当接させるものであり、両スライドレバー８１，８２の各他端は、回転体４の両端面から夫々突出している。
【００２１】
一方、フレーム２における回転体４用の軸４９を受けている部分には、ローラ型のカム６が軸６０によって回転自在に取り付けられている。このカム６は、回転体４が回転する時、回転体４の周方向に並んでいる複数本のスライドレバー８１及びスライドレバー８２の上記他端を順次押して回転体４の軸方向に動かすことで、可動爪７０をばね７８に抗して揺動させて、可動爪７０と固定爪４５とからなる脱毛爪７を閉じさせるのであるが、回転体４の一端側に配した複数本のスライドレバー８１は、外周側にカム６との当接部８３を持ったものと、内周側にカム６との当接部８４を持ったものとが回転体４の周方向において交互に取り付けられており、回転体４の他端側に配した複数本のスライドレバー８２は、外周側にカム６との当接部８６を持ったものと、内周側にカム６との当接部８５を持ったものとが回転体４の周方向において交互に取り付けられている。そして、スライドレバー８１の当接部８３と当接部８４とは図９から明らかなように、周方向に長くなっているとともに半ピッチずれた状態で径方向において重なったものとなっており、他端側のスライドレバー８２の当接部８５，８６も同じく半ピッチずれた状態で径方向において重なったものとなっている。
【００２２】
このために、回転体４が回転することでカム６，６と接するスライドレバー８１，８２が回転体４の周方向において順次入れ替わって脱毛爪７を順次開閉していくにあたり、回転体４の周方向において隣合うスライドレバー８１及びスライドレバー８２がカム６に同時に接触する状態が、つまりは周方向において隣合う２つの脱毛爪７，７が共に閉じている状態が生じるようになっているものであり、この結果、回転体４の周方向において多くの脱毛爪７を配しているにもかかわらず、各脱毛爪７についてはその可動爪７０と固定爪４５とが接触する閉じた状態が長い期間保たれるものであり、従って脱毛爪７が閉じることで挟み込んだ長い毛を時間的にも距離的にも長く引っ張ることができ、このために長い毛も確実に引き抜くことができるものである。
【００２３】
また、図９から明らかなように、隣合うスライドレバー８１（スライドレバー８２）は周方向における長さの約半分の長さが重なっており、一つおきのスライドレバー８１（スライドレバー８２）にカム６が接する時、その間にあるスライドレバー８１（スライドレバー８２）によって負荷変動を小さくすることができるようにしてある。カム６に接していたスライドレバー８１（スライドレバー８２）がカム６から離れて他のスライドレバー８１がカム６に接するようになる時、他のスライドレバー８１（スライドレバー８２）がカム６に接した状態にある（たとえば当接部８３から他の当接部８３に切り替わる時、当接部８４がカム６に接した状態にある）ために、負荷変動が小さくなっているものである。
【００２４】
なお、スライドレバー８１，８２のカム６側を径方向にずらしているのに対して、各スライドレバー８１，８２における可動爪７０との当接部は、同じ円周上に位置して、支点を中心に揺動する可動爪７０に対して同じ梃子比が作用するようにしてある。
【００２５】
ところで、回転体４に対する複数の脱毛爪７の配置は前述のように周方向と軸方向の両方向においてずれた状態となるようにしているが、図１０に示すように、回転体４の端面から可動爪７０までの距離は、総計１０対の脱毛爪７に対して、５つの組み合わせ（Ｌａ，ＬｊとＬｂ，ＬｉとＬｃ，ＬｈとＬｄ，ＬｇとＬｅ、Ｌｆ）となるようにしている。従って、スライドレバー８１，８２に共通のものを用いて部品数の削減を図ることができるようになっている。可動爪７０の前後（回転体４の周方向両端）を固定爪４５から遠ざかる方向に屈曲させた屈曲部７２としているのは、可動爪７０と固定爪４５との間の空間への毛の導入効率を高くするためである。
【００２６】
図１１に脱毛爪７の他例を示す。基本的構成は上記のものと同じであるが、ここでは軸方向に並んでいる２つの可動爪７０，７０の前後（回転体４の周方向両端）を固定爪４５から遠ざかる方向に屈曲させるだけでなく、一方の可動爪７０の後端と他方の可動爪７０の前端とを延ばして、回転体４の周方向において一つ置きに並んでいる可動爪７０、７０の一部が周方向において重なる長さとして、これら可動爪７０，７０の一部が軸方向に重なるようにしている。屈曲部の存在と上記延長部の存在により、可動爪７０と固定爪４５との間の開閉される空間への毛の導入効率を高めているものである。
【００２７】
図１２にさらに他例を示す。これは同じ凹所４４に納められる２つの可動爪７０，７０を薄肉の弾性片７９で連結して一体化したもので、該弾性片７９に前述のばね７８の機能を持たせることによってばね７８を不要としていることもあって、部品点数の削減と組立性の向上とを得ることができる。
【００２８】
図１３〜図１５は、回転体４を軸方向に２分割して回転体４ａ，４ｂで形成したものを示している。なお、各回転体４ａ、４ｂに凹所４４を設けて脱毛爪７を外周側から組み込んでいる点は同じであるが、脱毛爪７の抜け止めのための軸７７は、回転体４ａ，４ｂにおける結合対向面から差し込むようにしてある。回転体４ａ，４ｂからの軸７７の抜け止めが他方の回転体４ｂ，４ａによってなされるようにしているわけである。これに伴って、回転体４の固定爪４５を除く部分の外径Ｄを細くすることが、つまりは固定爪４５の高さを高くすることができるために、毛の導入効率の向上も図ることができる。
【００２９】
なお、上記の回転体４ａ，４ｂは相互結合面に設けたフック４７を相手方に係止することで、両回転体４ａ，４ｂの連結を行っているが、図１５及び図１６に示すように、結合対向面から突出させた軸７７を他方側に圧入することによって両回転体４ａ，の４ｂ連結を行ってもよい。
【００３０】
いずれにしても、２つの回転体４ａ、４ｂは対称な同一形状として、周方向に並ぶ脱毛爪７の半分を片方の回転体４ａに、残る半分の脱毛爪７を他方の回転体４ｂに取り付けるようにしておくとよい。この場合、ギア部４０は一方の回転体４ａのものだけが使用され、他方の回転体４ｂのギア部４０は不要な存在となるが、２つの回転体４ａ，４ｂを共通部品とすることができるメリットの方が大きい。また、分割面である結合対向面には、周方向における段差が生じるように分割してある。結合させた時の回転方向における強度を高めることができるからである。
【００３１】
【発明の効果】
以上のように本発明においては、回転駆動される円筒状の回転体の外周面に配した複数の脱毛爪を回転体の回転に伴って開閉させて脱毛を行う脱毛装置において、回転体はその外周面に複数の凹所を備えており、脱毛爪は上記凹所内で揺動自在となっている可動爪で形成されており、回転体の軸方向及び周方向においてずれたところに位置している上記各凹所に上記可動爪が夫々夫々回転体の外周面側から組み込まれているために、軸方向に並ぶように多数の脱毛爪が配されている場合のような部品の寸法公差の累積の影響を脱毛爪が受けることがなく、毛を挟持して引き抜く力のばらつきを少なくすることができるものであり、このために毛の引き抜き効率を高くすることができるほか、組立性の向上も図ることができる。
【００３２】
ここにおける脱毛爪は、揺動自在に支持された可動爪で形成され、脱毛爪の開閉動作は、上記可動爪がその揺動で回転体の凹所の回転体軸方向における側壁に設けた固定爪に接触離反することで得ているものであると、２つの可動爪で開閉するものに比して、簡単な構成とすることができるとともに組立性をよくすることができる。
【００３３】
また、揺動自在に支持された可動爪が、毛の挟持部と開閉用駆動力を受ける被駆動部との間を支点として揺動するものであると、脱毛爪の開閉の駆動負荷を小さくすることができる。
【００３４】
上記各凹所に、夫々２つの可動爪と両可動爪間に配される爪取付台とを組み込めば、多数の脱毛爪の装着が容易となり、２つの可動爪と揺動支持部材とはこれらを貫通する軸で回転体に取り付ければ、脱毛爪の取付強度の確保を容易に行うことができ、可動爪としてその周方向端部が屈曲しているものを用いたりすれば、毛の導入効率の高いものを得ることができる。
【００３５】
回転体の軸方向に並ぶ２つの可動爪が薄肉の弾性部を介して一体化されていると、さらに組立性を向上させることができ、この時、薄肉の弾性部が対の可動爪を開く方向に付勢していると、対の可動爪を開くためのばねを別途組み込む必要がなくなる。
【００３６】
また、回転体の周方向において隣り合う脱毛爪は上記周方向において重なる長さとなっていると、毛の導入効率を高めることができる。
【００３７】
そして、回転体としてその軸方向に２分割されて形成されたものを用いたならば、回転体の成形による製造が容易となる。
【００３８】
また、上記各凹所に夫々２つの可動爪と両可動爪間に配される爪取付台とが組み込まれ、２つの可動爪と爪取付台とはこれらを貫通する軸で回転体に取り付けられているものでは、回転体における上記軸の挿入口を軸方向に２分割された回転体の結合対向面に設けておくと、軸としてその長さの短いものを用いることができる上に、回転体側に固定爪がある場合、外径を大きくすることなく固定爪の高さを高くすることができる。
【００３９】
２分割された回転体は相互の結合対向面に配したフックで結合したり、上記軸によって結合したりするのが結合強度の確保や組立性の向上の点で好ましい。
【００４０】
２分割された回転体が同一形状となっていればコストを下げることができ、結合対向面に周方向の段差を備えていると、回転方向のずれやがたつきの防止の点で好ましいものとなる。
【図面の簡単な説明】
【図１】本発明の実施の形態の一例の要部の斜視図である。
【図２】同上の横断面図である。
【図３】同上の平面図である。
【図４】同上の縦断面図である。
【図５】同上の縦断面図である。
【図６】同上の分解斜視図である。
【図７】同上の回転体と脱毛爪と開閉部材の分解斜視図である。
【図８】同上の要部の横断面図である。
【図９】同上の端面図である。
【図１０】同上の脱毛爪の配置を示す展開図である。
【図１１】他例の脱毛爪の配置を示す展開図である。
【図１２】さらに他例の部分断面図である。
【図１３】別の例の分解斜視図である。
【図１４】同上の断面図である。
【図１５】同上の斜視図である。
【図１６】さらに別の例の斜視図である。
【図１７】同上の断面図である。
【符号の説明】
４  回転体
７  脱毛爪
４４  凹所
７０  可動爪
【図１】
0003864627.tif 000002
【図２】
0003864627.tif 000003
【図３】
0003864627.tif 000004
【図４】
0003864627.tif 000005
【図５】
0003864627.tif 000006
【図６】
0003864627.tif 000007
【図７】
0003864627.tif 000008
【図８】
0003864627.tif 000009
【図９】
0003864627.tif 000010
【図１０】
0003864627.tif 000011
【図１１】
0003864627.tif 000012
【図１２】
0003864627.tif 000013
【図１３】
0003864627.tif 000014
【図１４】
0003864627.tif 000015
【図１５】
0003864627.tif 000016
【図１６】
0003864627.tif 000017
【図１７】
0003864627.tif 000018